(57)【要約】【課題】ＩＰ電話番号により相手装置を指定するだけで、相手装置が有する通信手順に対応した通信手順を決定し、直接リアルタイムにデータ送信を行うことを可能とする通信端末装置を提供すること。【解決手段】呼制御プロトコルによって、ＩＰ電話番号により指定した相手装置１５とコネクションを確立するコネクション確立手段と、前記コネクション上で相手装置１５が対処可能な複数の通信手順の提示を要求する通信手順要求手段と、該手段による要求の応答として前記相手装置から提示された通信手順から自装置１が対処可能な１の通信手順を選択する通信手順選択手段と、該手段により選択された通信手順によって、前記コネクション上で前記相手装置と通信を行う手段と、を備える通信端末装置１。【選択図】      図３
2004172853.tif 000002
【特許請求の範囲】
【請求項１】
呼制御プロトコルによって、ＩＰ電話番号により指定した相手装置とコネクションを確立するコネクション確立手段と、前記コネクション上で前記相手装置が対処可能な複数の通信手順の提示を要求する通信手順要求手段と、該手段による要求の応答として前記相手装置から提示された通信手順から自装置が対処可能な１の通信手順を選択する通信手順選択手段と、該手段により選択された通信手順によって、前記コネクション上で前記相手装置と通信を行う手段と、を備えることを特徴とする通信端末装置。
【請求項２】
通信手順とＩＰ電話番号とを関連付けて記憶する記憶手段を備え、前記記憶手段により前記相手装置のＩＰ電話番号に関連付けて通信手順が記憶されている場合には、前記通信手順要求手段による要求は行われず、前記通信手順選択手段は、前記記憶手段により前記相手装置のＩＰ電話番号に関連付けて記憶されている通信手順を選択することを特徴とする請求項１記載の通信端末装置。
【請求項３】
前記記憶手段により前記相手装置のＩＰ電話番号に関連付けて通信手順が記憶されていない場合には、前記通信手順要求手段は、前記コネクション上で前記相手装置が対処可能な複数の通信手順の提示を要求し、前記通信手順選択手段は、前記相手装置から提示された通信手順から自装置が対処可能な１の通信手順を選択することを特徴とする請求項２記載の通信端末装置。
【請求項４】
前記通信手順選択手段による通信手順の選択が失敗した場合に、前記相手装置と通信できなかったことを示す情報を所定の出力先へ出力する手段を備えることを特徴とする請求項１記載の通信端末装置。
【請求項５】
前記記憶手段は、前記相手装置のＩＰ電話番号に関連付けて通信手順が記憶されていない場合に、前記相手装置から提示され前記通信手順選択手段により選択された通信手順を、前記相手装置のＩＰ電話番号に関連付けて記憶することを特徴とする請求項３記載の通信端末装置。
【発明の詳細な説明】
【０００１】
【発明の属する技術分野】
本発明は、ＩＰ（インターネットプロトコル）網をデータの伝送路として用い、画像データ、テキストデータ等の伝送を行う通信端末装置に関する。
【０００２】
【従来の技術】
近年、ＩＰ網を利用して電話を行うＩＰ電話通信や、同じくＩＰ網を利用してファクシミリを行うＩＰファクシミリ通信が普及しつつあり、これら複数の通信機能が１つの装置に統合された、いわゆる複合機も開発されている。例えば、特許文献１に開示されているように、ＩＰ電話通信機能とＩＴＵ−Ｔ勧告Ｔ．３８に準拠したＩＰファクシミリ通信機能を具備し、ＩＰ電話通信とＩＰファクシミリ通信による送信及び受信を同時に行うことができる通信端末装置がある。
【０００３】
ＩＰ電話通信やＩＰファクシミリ通信を行うとき、相手の呼び出しや通話の管理など、一般公衆網の交換機が行う処理に相当する制御は、呼制御プロトコルによって行われる。呼制御プロトコルにはＨ．３２３とＳＩＰ（Ｓｅｓｓｉｏｎ  Ｉｎｉｔｉａｔｉｏｎ  Ｐｒｏｔｏｃｏｌ；ＲＦＣ２５４３）が多く利用されている。特にＳＩＰは、セッションの確立、変更、終了を行うだけで、セッションの内容には関知しない呼制御プロトコルであるため、上記したＩＰ電話通信やＩＰファクシミリ通信に限らず、ＳＭＴＰ（Ｓｉｍｐｌｅ  Ｍａｉｌ  Ｔｒａｎｓｆｅｒ  Ｐｒｏｔｏｃｏｌ）、ＨＴＴＰ（Ｈｙｐｅｒｔｅｘｔ  Ｔｒａｎｓｆｅｒ  Ｐｒｏｔｏｃｏｌ）など種々の通信手順を、発信側と着信側の間で確立したコネクション上において実行することが可能である。したがって、ＳＩＰによれば、送信元の通信端末装置は、送信相手装置とリアルタイムに直接データのやり取りを行うことができるという利点がある。
【０００４】
【特許文献１】
特開２００２−１０１２５６号公報（第３−５頁、第２図）
【０００５】
【発明が解決しようとする課題】
ところが、ＳＩＰのような呼制御プロトコルによって、相手装置へデータを送信する手段を有する通信端末装置であっても、端末装置が対処可能な通信手順は、相手装置毎に異なることから、送信側においては、相手装置のユーザに使用可能な通信手順を予め確認してから、指定された通信手順（ＳＭＴＰ、ＨＴＴＰ等）によってデータ伝送を行う必要があった。
【０００６】
本発明は、かかる課題に鑑みてなされたものであり、ＩＰ電話番号により相手装置を指定するだけで、相手装置が有する通信手順に対応した通信手順を決定し、直接リアルタイムにデータ送信を行うことを可能とする通信端末装置を提供することを目的とする。
【０００７】
【課題を解決するための手段】
上記目的を達成するために、請求項１記載の通信端末装置は、呼制御プロトコルによって、ＩＰ電話番号により指定した相手装置とコネクションを確立するコネクション確立手段と、前記コネクション上で前記相手装置が対処可能な複数の通信手順の提示を要求する通信手順要求手段と、該手段による要求の応答として前記相手装置から提示された通信手順から自装置が対処可能な１の通信手順を選択する通信手順選択手段と、該手段により選択された通信手順によって、前記コネクション上で前記相手装置と通信を行う手段と、を備えることを特徴としている。
【０００８】
請求項２記載の通信端末装置は、請求項１記載の通信端末装置において、通信手順とＩＰ電話番号とを関連付けて記憶する記憶手段を備え、前記記憶手段により前記相手装置のＩＰ電話番号に関連付けて通信手順が記憶されている場合には、前記通信手順要求手段による要求は行われず、前記通信手順選択手段は、前記記憶手段により前記相手装置のＩＰ電話番号に関連付けて記憶されている通信手順を選択することを特徴としている。
【０００９】
請求項３記載の通信端末装置は、請求項２記載の通信端末装置において、前記記憶手段により前記相手装置のＩＰ電話番号に関連付けて通信手順が記憶されていない場合には、前記通信手順要求手段は、前記コネクション上で前記相手装置が対処可能な複数の通信手順の提示を要求し、前記通信手順選択手段は、前記相手装置から提示された通信手順から自装置が対処可能な１の通信手順を選択することを特徴としている。
【００１０】
請求項４記載の通信端末装置は、請求項１記載の通信端末装置において、前記通信手順選択手段による通信手順の選択が失敗した場合に、前記相手装置と通信できなかったことを示す情報を所定の出力先へ出力する手段を備えることを特徴としている。
【００１１】
請求項５記載の通信端末装置は、請求項３記載の通信端末装置において、前記記憶手段は、前記相手装置のＩＰ電話番号に関連付けて通信手順が記憶されていない場合に、前記相手装置から提示され前記通信手順選択手段により選択された通信手順を、前記相手装置のＩＰ電話番号に関連付けて記憶することを特徴としている。
【００１２】
【発明の実施の形態】
以下、本発明の通信端末装置の一例としてＩＰ網を通じて画データや電子メールデータ等の通信を行うファクシミリ装置について図面に基づき説明する。図１にこのファクシミリ装置１の構成例を示す。すなわち、このファクシミリ装置１は、ＣＰＵ（中央処理装置）２、ＲＡＭ（ランダムアクセスメモリー）３、ＲＯＭ（リードオンリーメモリー）４、コーデック５、読取部６、記録部７、操作部８、及びＬＡＮインターフェース１０を備えたものであって、各部２乃至１０は通信可能にバス１１によって接続されている。
【００１３】
ＣＰＵ２は、所定のプログラムに従って、このファクシミリ装置１を構成する各部を制御する。ＲＡＭ３は、画データ、各種設定情報、後述するＩＰ電話番号テーブルＴ等を記憶する記憶部として、また、一時的に蓄積される諸データの記憶部として機能する。ＲＯＭ４は、ＣＰＵ２によりこのファクシミリ装置１の各部の動作が制御されるための各種プログラムを記憶している。
【００１４】
ＩＰ電話番号テーブルＴは、図２に示すように、通信相手名称を格納する「宛先」欄、通信相手のＩＰ電話番号（ＩＰ電話に割り当てられた電話番号）を格納する「ＩＰ電話番号」欄、ＩＰ電話番号の相手装置及び自装置１が対処可能な通信手順（通信プロトコル）を格納する「通信手順」欄からなり、各種情報は同一レコードに格納されることで相互に関連付けて記憶されている。例えば、「宛先」欄に格納された通信相手先名称「ｅｆｇ会社」と、「ＩＰ電話番号」欄に格納されたＩＰ電話番号「０５０−１２３４５６」と、通信手順「ＳＭＴＰ」とは、このＩＰ電話番号テーブルＴ内において相互に関連付けて記憶されている。なお、このＩＰ電話番号テーブルＴの情報の編集、追加、削除は、操作部８のディスプレイ等へ表示しながらオペレータによる操作部８からの所定操作によって自由に行うことができるようになっている。
【００１５】
コーデック５は、使用する通信手順に応じた形式にて符号化復号する。例えば、ＳＭＴＰにより送受信する電子メールに添付される画像フォーマットであるＴＩＦＦ（Ｔａｇｇｅｄ  Ｉｍａｇｅ  Ｆｉｌｅ  Ｆｏｒｍａｔ）形式に対応して画データを符号化、復号する。
【００１６】
読取部６は、原稿の画像データを読み取って、白黒２値化した画データ生成する。記録部７は、例えば電子写真方式のものからなり、受信した画データ等を記録紙上に記録する。
【００１７】
操作部８は、このファクシミリ装置１の状態に関する情報、各種画面等を表示するディスプレイ８ａ、ＩＰ電話番号、メールアドレス等の各種情報を入力する入力キー８ｂ等からなり、オペレータによる各種操作はこの操作部８から行われる。
【００１８】
ＬＡＮインターフェース１０は、ＬＡＮ（ローカル・エリア・ネットワーク）１２とのインターフェースであり、ファクシミリ装置１をＬＡＮ１２に通信可能に接続する。ＬＡＮ１２には、ルータ１３が設けられており、ファクシミリ装置１は、ルータ１３を通じてＩＰ網１４等における相手装置１５と後述する呼制御プロトコルを利用して直接リアルタイムにデータ通信を行うことができるようになっている。
【００１９】
上記に説明した構成を備えるファクシミリ装置１は、ＵＤＰ／ＩＰ（ＵｓｅｒＤａｔａｇｒａｍ  Ｐｒｏｔｏｃｏｌ／Ｉｎｔｅｒｎｅｔ  Ｐｒｏｔｃｏｌ）、及びＳＩＰを実装しており、更に、ＩＰ電話番号により指定した相手装置１５とＳＩＰによるコネクション（以下「ＳＩＰコネクション」という。）を確立した上で、各種通信手順、具体的にはＳＭＴＰ、ＨＴＴＰ等の通信手順を、相手装置との間で直接実行することにより画データやテキストデータを相手装置１５に送信する機能を備えている。
【００２０】
図３のシーケンス図に示すように、ファクシミリ装置１は、同じくＵＤＰ／ＩＰ、ＳＩＰ、ＳＭＴＰ、ＨＴＴＰ等を実装した相手装置１５をＩＰ電話番号により指定し、呼制御セッションを形成して、ＳＩＰコネクションを確立し、ＳＩＰコネクション上で例えば図示するようなメディアセッションを形成した後、通信を切断するための呼制御セッションを形成する。
【００２１】
すなわち、ファクシミリ装置１においてオペレータがＩＰ電話番号を操作部８から入力するなど所定の送信操作が行われると、ファクシミリ装置１は、ＳＩＰサーバ１７に対しＩＰ電話番号を指定した「ＩＮＶＩＴＥ」により相手先の呼出を要求する（Ｔ１）。これを受けたＳＩＰサーバ１７は、ファクシミリ装置１から指定されたＩＰ電話番号のＩＰアドレスを、ＩＰ電話番号とＩＰアドレスの対応付け情報を持つロケーションサーバ（不図示）に問い合わせて、ＩＰアドレスを取得し、該ＩＰアドレスから特定される相手装置１５に対して、同じく「ＩＮＶＩＴＥ」を送出することにより呼び出しを行う。この時ＳＩＰサーバ１７からファクシミリ装置１に対しては、相手装置１５が呼出中であることを示す信号「ＲＩＮＧＩＮＧ」が送出される（Ｒ１）。
【００２２】
ＳＩＰサーバ１７が呼び出した相手装置１５が呼出に対して応答すると、相手装置１５は、ＳＩＰサーバ１７に対して成功応答コード「２００」を送出し、これを受けたＳＩＰサーバ１７は、ファクシミリ装置１に対して同じく成功応答コード「２００」を送出する（Ｒ２）。ファクシミリ装置１は、次いで、前記成功応答コードを受け取ったことを示す「ＡＣＫ」をＳＩＰサーバ１７へ送出し（Ｔ２）、これを受けたＳＩＰサーバ１７は、相手装置１５に同じく「ＡＣＫ」を送出して、ファクシミリ装置１と相手装置１５との間に、ＳＩＰコネクションを確立し、種々の通信手順の実行を可能とする通信状態を形成する。
【００２３】
ファクシミリ装置１は、確立されたＳＩＰコネクション上で、相手装置１５との間で通信手順を実行する前に、必要であれば（必要な場合については後に具体的に説明する。）、相手が対処可能な通信手順の提示を要求する所定コマンドを相手装置１５に送信し（Ｔ３）、相手装置１５はこれに応答して自装置１５の対処可能な通信手順についての情報をファクシミリ装置１に対して提示する処理動作を実行するようになっている（Ｒ３）。また、ファクシミリ装置１は、通信手順を実行する前に利用する通信手順を予め相手装置１５に対して通知するようになっており（Ｔ４）、その通知を受けた相手装置１５の受信準備を促した後、相手装置１５との間で通知した通信手順を実行し、原稿の画データ等の送信を行う（Ｔ５）。
【００２４】
ファクシミリ装置１は、上記通信手順を終了した後（Ｔ６）、ＳＩＰコネクションの切断を要求する「ＢＹＥ」をＳＩＰサーバ１７へ送出し（Ｔ７）、これを受けたＳＩＰサーバ１７は相手装置１５に「ＢＹＥ」を送出する。そして、ＳＩＰサーバ１７が相手装置１５から成功応答コード「２００」を受けると、同じくファクシミリ装置１に対しても成功応答コード「２００」を送出し（Ｒ４）、一連のセッションを終了する（通信を切断する）。
【００２５】
上記に説明したセッションを形成するに際して、ファクシミリ装置１は、図４のフローチャートに基づく処理動作を実行するようになっており、以下にその処理動作について詳細に説明する。なお、このフローチャートに基づいて説明するファクシミリ装置１の動作は、ＲＯＭ４に記憶された制御プログラムに基づいてＣＰＵ２が発行する命令に従って行われる。
【００２６】
ファクシミリ装置１おいて、読取部６への原稿のセット、操作部８からのＩＰ電話番号の入力など、オペレータにより所定の送信操作がなされ送信開始命令としてスタートキーが押下されると、ファクシミリ装置１は、ＳＩＰサーバ１７に対し、ＩＰ電話番号に相手装置を指定して「ＩＮＶＩＴＥ」により相手の呼出を要求する（Ｓ１、Ｔ１）。
【００２７】
次いで、ＳＩＰサーバ１７から成功応答コード「２００」をファクシミリ装置１が受信すると（Ｓ２、Ｒ２）、相手装置１５とのコネクションを確立するために「ＩＮＶＴＥ」に対する成功応答コードを受け取ったことを示す「ＡＣＫ」をＳＩＰサーバ１７へ送出し（Ｓ３、Ｔ３）、これを受けたＳＩＰサーバ１７によって、ファクシミリ装置１と相手装置１５との間でＳＩＰコネクションが確立される（Ｓ４）。
【００２８】
ＳＩＰコネクションが確立された後、ファクシミリ装置１は、発呼時に指定した相手装置１５のＩＰ電話番号が、ＲＡＭ３に形成されているＩＰ電話番号テーブルＴの「ＩＰ電話番号」欄に格納されたものであって、そのＩＰ電話番号に関連付けて「通信手順」欄に通信手順が格納（記憶）されているか否かを判断する（Ｓ５）。
【００２９】
関連付けられた通信手順が格納されていると判断した場合は、前記Ｔ３の通信手順の提示要求は行わず、「通信手順」欄に格納されている通信手順を適用すべき通信手順として選択し、選択した該通信手順により通信を開始することを相手装置１５に通知する（Ｓ６、Ｔ４）。そして送信すべきデータを選択した通信手順に対応した形式に変換して、相手装置１５へ当該通信手順（ＳＭＴＰ、ＨＴＴＰ等）によりデータを送信する（Ｓ７、Ｔ５）。
【００３０】
ＩＰ電話番号テーブルＴのＩＰ電話番号又は通信手順の登録間違いがある場合や間違い電話を掛けた場合などに、ＩＰ電話番号テーブルに基づいて決定した通信手順に相手装置１５が対処することができず、通信手順の実行に成功しなかった場合は（Ｓ８：ＮＯ）、通信できなかったことを報知し（Ｓ９）、「ＢＹＥ」をＳＩＰサーバ１７へ送出して、相手装置１５との間に確立されているＳＩＰコネクションを切断する（Ｓ１０、Ｔ７）。なお、通信できなかったことの報知は、「画像送信に失敗しました。」、「電子メールの送信に失敗しました。」など、そのことを示す情報をＲＡＭ３の所定領域に格納しておき、これを前記Ｓ９の処理動作としてディスプレイ９ａや記録部７へ出力することによって行われる。また、その旨の表示の代わりに所定のブザー音を発生してもよい。
【００３１】
前記Ｓ８において、通信手順の実行に成功した場合（Ｓ８：ＹＥＳ）は、次いで、前記Ｓ１０の処理動作、すなわち、ＳＩＰコネクションの切断を行う。
【００３２】
一方、前記Ｓ５において、相手装置１５のＩＰ電話番号がＩＰ電話番号テーブルＴの「ＩＰ電話番号」欄に格納されていない場合、及び、格納されているが、「通信手順」欄に当該ＩＰ電話番号に関連付けられた通信手順が格納されていないと判断した場合は（Ｓ５：ＮＯ）、相手の対処可能な複数の通信手順の提示を要求する所定コマンドを相手装置１５に対し送信する（Ｓ１１、Ｔ３）。前記所定コマンドによる要求の応答として、相手装置１５から相手が対処可能な複数の通信手順が提示され、提示された中から自装置１が対処可能な１の通信手順の選択に成功した場合には（Ｓ１２、Ｓ１３、Ｒ３）、選択した通信手順により通信を開始することを相手装置１５に通知し（Ｓ１４、Ｔ４）、送信すべきデータを当該通信手順に対応した形式に変換して、当該通信手順（ＳＭＴＰ、ＨＴＴＰ等）によって、ＳＩＰコネクション上で相手装置１５へデータを送信する（Ｓ１５）。
【００３３】
次いで、前記Ｓ１２で選択した通信手順を、ＩＰ電話番号テーブルＴの「ＩＰ電話番号」欄に格納された相手装置１５のＩＰ電話番号と同一レコードの「通信手順」欄に格納することにより相互に関連付けて記憶する。「ＩＰ電話番号」欄に相手装置１５のＩＰ電話番号が格納されていないときは、ＩＰ電話番号テーブルＴに新たなレコードを生成し、新規レコードの「ＩＰ電話番号」欄に当該ＩＰ電話番号を「通信手順」欄に選択した通信手順を格納し相互に関連付けて記憶する（Ｓ１６）。そして、前記Ｓ１０へ移行してＳＩＰコネクションを切断する（Ｓ１０）。
【００３４】
一方、前記Ｓ１３において、相手装置１５から通信手順が提示されず、通信手順の選択が失敗した場合には（Ｓ１３：ＮＯ）、前記Ｓ９へ移行して相手装置と通信できなかったことを報知する。
【００３５】
以上の説明から明らかなように、本発明の実施の形態に係るファクシミリ装置１によれば、ＩＰ電話番号テーブルに相手装置１５のＩＰ電話番号及び通信手順が登録されている場合には、相手装置１５との間に確立されたＳＩＰコネクション上で相手とやり取りされる通信手順は、登録された通信手順が採用されるので、ＳＩＰコネクションを確立すると同時に、相手装置が対処可能な通信手順で直ちに通信を開始することができ、したがって、通信の効率化が図られる。
【００３６】
また、相手装置１５が対処可能な通信手順が登録されていない場合であっても、相手装置から提示された相手が対処可能な通信手順をＩＰ電話番号テーブルＴに格納するため、その後同じ相手に対してデータ送信をするときに、ＩＰ電話番号テーブルＴに格納された通信手順が採用されるので、上記と同様に通信手順の効率化が図られる。さらにまた、一度でもデータ通信を行った相手装置の通信手順情報は、ＩＰ電話番号と関連付けてＩＰ電話番号テーブルＴに記憶されるので、ＩＰ電話番号を通じて相手装置の通信手順情報を管理できるという利点もある。例えば、ＩＰ電話番号テーブルＴの内容をディスプレイ８ａ等に出力することにより、ＩＰ電話番号に対応付けて表示される相手の対処可能な通信手順（例えば図２のように表示される。）を簡単に確認することができる。
【００３７】
なお、本実施の形態においては、呼制御プロトコルとしてＳＩＰを使用しているが、当然に、同様のものであれば、ＳＩＰ以外の呼制御プロトコルであってもよい。
【００３８】
【発明の効果】
請求項１記載の通信端末装置によれば、ＩＰ電話番号により相手装置を指定するだけで、相手装置に対応した通信手順にて、直接リアルタイムに画データ等のデータ送信を行うことができる。
【００３９】
請求項２記載の通信端末装置によれば、記憶手段に相手装置のＩＰ電話番号及び通信手順が登録されている場合には、相手装置との間に確立された呼制御のコネクション上で相手とやり取りされる通信手順は、登録された通信手順が採用されるので、コネクションを確立すると同時に、相手装置が対処可能な通信手順で直ちに通信を開始することができ、したがって、通信の効率化が図られる。
【００４０】
請求項３記載の通信端末装置によれば、記憶手段に相手装置のＩＰ電話番号及び通信手順が登録されているかを問わず最適な処理が行われる。
【００４１】
請求項４記載の通信端末装置によれば、相手装置と通信できなかった場合にそのことをオペレータが容易に発見することができる。
【００４２】
請求項５記載の通信端末装置によれば、記憶手段に相手装置のＩＰ電話番号及び通信手順が登録されていない場合でも、一度通信することで、自動的に相手装置の通信手順が登録され、次回通信時には登録された通信手順が利用されるので、オペレータによる登録作業を省くことができ、操作の簡略化が図られる。
【図面の簡単な説明】
【図１】本発明の実施の形態に係る通信端末装置の構成例及び該装置が配置されたネットワークの構成例を示した図である。
【図２】ＩＰ電話番号テーブルの一例を示した図である。
【図３】ＳＩＰ（呼制御プロトコル）により相手装置と通信を行う場合のセッション例を示したシーケンス図である。
【図４】本発明の実施の形態に係る通信端末装置において、ＩＰ電話番号により相手装置を指定してデータ通信を実行する際の処理動作を示したフローチャートである。
【符号の説明】
Ｔ  ＩＰ電話番号テーブル
１  ファクシミリ装置（通信端末装置）
２  ＣＰＵ
３  ＲＡＭ
４  ＲＯＭ
１５  相手装置
【図１】
2004172853.tif 000003
【図２】
2004172853.tif 000004
【図３】
2004172853.tif 000005
【図４】
2004172853.tif 000006